(57)【要約】【課題】外側からの遮蔽部の開閉状態が判かり易いカメラ装置を提供する。【解決手段】撮像素子に入射光を集光するレンズ（魚眼レンズ１２）と、レンズの前方を覆う位置と前方を覆わない位置とに配置可能な遮蔽部と、レンズおよび遮蔽部を保護する半球形状の透光性を有するドームカバー１５と、を備えたカメラ装置１０であって、遮蔽部がドームカバー１５の内側近傍に設けられている。遮蔽部は、球面を一対の離間する弧状分断線で分断した分割球面形状で形成されてカバー開閉機構１６によって移動されることが好ましい。また、少なくともカメラ装置１０の筐体１７の前面側および遮蔽部の前面側は白系色であることが好ましい。【選択図】図３
2014056155.tif 000002
【特許請求の範囲】
【請求項１】
撮像素子に入射光を集光するレンズと、前記レンズの前方を覆う位置と前方を覆わない位置とに配置可能な遮蔽部と、前記レンズおよび前記遮蔽部を保護する半球形状の透光性を有するドームカバーと、を備えるカメラ装置であって、
前記遮蔽部が前記ドームカバーの内側近傍に設けられるカメラ装置。
【請求項２】
請求項１に記載のカメラ装置であって、
前記遮蔽部が、球面を一対の離間する弧状分断線で分断した分割球面形状で形成されてカバー開閉機構によって移動されるカメラ装置。
【請求項３】
請求項１または請求項２に記載のカメラ装置であって、
少なくとも前記カメラ装置の筐体の前面側および前記遮蔽部の前面側が白系色であるカメラ装置。
【請求項４】
請求項１ないし請求項３のうちのいずれか１項に記載のカメラ装置であって、
前記レンズを支持するレンズホルダを有し、前記レンズホルダは黒系色であるカメラ装置。
【発明の詳細な説明】
【技術分野】
【０００１】
本発明は、監視される人の不快感や心理的圧迫を低減させるカメラ装置に関するものである。
【背景技術】
【０００２】
近年、病院や学校に設置される監視カメラでは、撮影していない状態が撮影される人（患者等）に明確に判かるといった、プライバシーを重視する機能が求められている。例えば、特許文献１には、監視される人の不快感や心理的圧迫を無くすために、レンズ前方を遮蔽部で覆い、撮影できない状況であることを病院の患者に示すようにした監視カメラが記載されている。
【先行技術文献】
【特許文献】
【０００３】
【特許文献１】特開２００２−１３５６３０号公報（請求項１、図２、段落００１９）
【発明の概要】
【発明が解決しようとする課題】
【０００４】
しかしながら、近年の監視カメラは、撮像素子、レンズの小型化が進み、レンズ前方に遮蔽部を設けても、遮蔽部も小さくなり、天井等の離れた距離に設置された場合、遮蔽した状態なのか、開放している状態なのかが、判かりづらくなっている。
また、レンズや遮蔽部を保護するために外側に透光性のドームカバーを設けた場合には、外部からの光が内部にまで届かず、遮蔽部の開閉状態が外部から判かりづらくなり、監視されている人の不快感や心理的圧迫を解消できないという課題がある。
【０００５】
本発明は上記状況に鑑みてなされたもので、その目的は、外側からの遮蔽部の開閉状態が判かり易いカメラ装置を提供することにある。
【課題を解決するための手段】
【０００６】
本発明のカメラ装置は、撮像素子に入射光を集光するレンズと、前記レンズの前方を覆う位置と前方を覆わない位置とに配置可能な遮蔽部と、前記レンズおよび前記遮蔽部を保護する半球形状の透光性を有するドームカバーと、を備えたカメラ装置であって、前記遮蔽部が前記ドームカバーの内側近傍に設けられるものである。
【０００７】
また、本発明のカメラ装置は、前記遮蔽部が、球面を一対の離間する弧状分断線で分断した分割球面形状で形成されてカバー開閉機構によって移動されるものである。
【０００８】
さらに、本発明のカメラ装置は、少なくとも前記カメラ装置の筐体の前面側および前記遮蔽部の前面側が白系色であるものである。
【０００９】
さらに、本発明のカメラ装置は、前記レンズを支持するレンズホルダを有し、前記レンズホルダは黒系色であるものである。
【発明の効果】
【００１０】
本発明に係るカメラ装置によれば、外側からの遮蔽部の開閉状態を判かり易くできる。
【図面の簡単な説明】
【００１１】
【図１】本発明に係る実施形態のカメラ装置を表す外観斜視図
【図２】図１に示したカメラ装置の一部分を切り欠いた斜視図
【図３】図１に示したカメラ装置の側断面図
【図４】図２に示した基台の斜視図
【図５】図４に示したフローティングマウントの分解斜視図
【図６】第１開閉カバーおよび第２開閉カバーが閉じられたカバー開閉機構の斜視図
【図７】第１開閉カバーおよび第２開閉カバーが開かれたカバー開閉機構の斜視図
【図８】本発明に係る実施形態のカメラ装置のドームカバーを外した状態の外観斜視図
【図９】ドームカバーと閉じられたカバー開閉機構との位置関係を示す要部拡大側面図
【図１０】ドームカバーと開かれたカバー開閉機構との位置関係を示す要部拡大側面図
【図１１】天井に設置された蛍光灯とカメラ装置との位置関係を示す平面図
【図１２】本発明に係る実施形態のカメラ装置を表すブロック図
【図１３】本発明に係る実施形態のカメラ装置を用いたカメラシステムの模式図
【図１４】本発明に係る実施形態のカメラ装置の動作を示すフローチャート
【発明を実施するための形態】
【００１２】
以下、本発明に係る実施形態について、図面を用いて説明する。
図１は本発明に係る実施形態のカメラ装置を表す外観斜視図、図２は図１に示したカメラ装置の一部分を切り欠いた斜視図、図３は図１に示したカメラ装置の側断面図である。
本実施形態に係るカメラ装置１０は、撮像素子１１（図１２参照）と、レンズである魚眼レンズ１２（図２参照）と、遮蔽部である第１開閉カバー１３（図６参照）および第２開閉カバー１４（図６参照）と、ドームカバー１５と、カバー開閉機構１６と、筐体１７と、レンズホルダ１８と、を主要な構成として有する。
【００１３】
カメラ装置１０は、例えば、施設の監視用に用いられ、施設の壁や天井等に設置される。筐体１７は、合成樹脂等によって円環状に形成され、外観は白色系に塗られている。筐体１７の中央には半球形状の透光性を有するプラスチック製のドームカバー１５が配設される。ドームカバー１５は、第１開閉カバー１３および第２開閉カバー１４と、魚眼レンズ１２およびレンズホルダ１８を備えた光学ユニット１９と、を保護する。光学ユニット１９は、入射光を魚眼レンズ１２によって撮像素子１１に集光する。第１開閉カバー１３および第２開閉カバー１４は、魚眼レンズ１２の前方を覆う位置と前方を覆わない位置とに配置可能となっている。
【００１４】
筐体１７の底部開口は基台２０によって塞がれる。基台２０の外側面には着脱金具２１が取り付けられ、基台２０は着脱金具２１によって天井等に取り付けられる。カメラ装置１０は、天井に設置された場合、筐体１７のドームカバー１５が下向きとなる。基台２０の光学ユニット１９の周囲は、部品収容スペース２２となっている。部品収容スペース２２には、電源供給や映像出力のための基板であるメイン基板２３と画像処理のための基板であるサブ基板２４（図３参照）とが設けられる。メイン基板２３にはＣＰＵや記憶部を備えた制御部２５（図１２参照）が実装されている。メイン基板２３の一部分は絶縁ケース２６により覆われる。制御部２５は、ステッピングモータ２７へ送出する制御信号により、カバー開閉機構１６の開閉動作を可能としている。第１開閉カバー１３および第２開閉カバー１４は、このカバー開閉機構１６の開閉動作によってレンズの前方を覆う位置と前方を覆わない位置とに配置可能（即ち、開閉可能）となる。また、部品収容スペース２２には、ＳＤカード収容用のＳＤスロット２８（図３参照）が設けられる。さらに、部品収容スペース２２の外側の基台２０には、図示しない除湿素子や防水用ピッグテールケーブル、低温時加熱用ヒータ等が収容される。
【００１５】
図４は図２に示した基台２０の斜視図、図５は図４に示したフローティングマウント２９の分解斜視図である。
カメラ装置１０は、フローティングマウント２９を備える。図５に示すように、レンズである魚眼レンズ１２の周辺には、パッキン材３０を介して魚眼レンズ１２を保持するためのレンズホルダ１８が装着される。レンズホルダ１８は黒系色とし、外部からの光の反射光が魚眼レンズ１２に映り込むことを防いでいる。
【００１６】
メイン基板２３にフラットケーブル（図示せず）を介して接続されるセンサ基板３１にはＭＯＳホルダ３２がＭＯＳホルダ固定ねじ３３によって固定される。センサ基板３１は、撮像素子１１が取り付けられている。ＭＯＳホルダ３２に固定されたセンサ基板３１は、ＭＯＳブラケット３４によってレンズホルダ１８の下面側に固定される。ＭＯＳブラケット３４は、ＭＯＳブラケット固定ねじ３５によってレンズホルダ１８の下面側に固定される。ＭＯＳブラケット３４等の固定されたレンズホルダ１８の四箇所の外周からは支持用鍔部３６が突出して設けられ、それぞれの支持用鍔部３６には支持柱貫通孔３７（図６参照）が穿設される。基台２０には、四つの支柱嵌合ボス３８が突出され、それぞれの支柱嵌合ボス３８は支持柱３９を起立状態で固定している。
なお、本実施形態では４本の支持柱３９が基台２０に立設されるが、支持柱３９はその他、３本であってもよく、４本以上であってもよい。
【００１７】
それぞれの支持柱３９は、支持用鍔部３６の支持柱貫通孔３７に貫通される。支持用鍔部３６に貫通された支持柱３９の先端にはストッパねじ４０が固定され、ストッパねじ４０は支持柱３９からの支持用鍔部３６の離脱を規制する。基台２０と支持用鍔部３６との間の支持柱３９にはコイルばね４１が外挿され、コイルばね４１は光学ユニット１９を基台２０から浮上させる方向に付勢している。支持用鍔部３６、支持柱３９、ストッパねじ４０、コイルばね４１は、フローティングマウント２９を構成する。つまり、光学ユニット１９は、フローティングマウント２９を介して基台２０に可動可能に取り付けられている。
【００１８】
図６は第１開閉カバー１３および第２開閉カバー１４が閉じられたカバー開閉機構１６の斜視図、図７は第１開閉カバー１３および第２開閉カバー１４が開かれたカバー開閉機構１６の斜視図である。
カバー開閉機構１６は、ドームカバー１５と光学ユニット１９との間に、ステッピングモータ２７によって開閉される上記の第１開閉カバー１３および第２開閉カバー１４を有する。ステッピングモータ２７の駆動軸には駆動ギア４２（図１０参照）が固定される。駆動ギア４２の回転は、ギアボックス４３（図９参照）によって、第１開閉カバー１３および第２開閉カバー１４へ伝達される。駆動ギア４２は、第１中間ギア４４に噛み合う。第１中間ギア４４は第１開閉カバー１３を開閉する。また、駆動ギア４２は、反転ギア４５にも噛み合っている。反転ギア４５は、第２中間ギア４６に噛み合う。第２中間ギア４６は、第２開閉カバー１４を開閉する。従って、第１開閉カバー１３および第２開閉カバー１４は、一つのステッピングモータ２７によって反対回転されて開閉動作可能となっている。
【００１９】
第１開閉カバー１３および第２開閉カバー１４は白色系の材料を用いている。即ち、カメラ装置１０は、少なくとも筐体１７の前面側および遮蔽部の前面側が白系色となっている。これら、第１開閉カバー１３および第２開閉カバー１４は、光学ユニット１９のレンズホルダ１８の両側部から突出する駆動側支軸４７（図３参照）および非駆動側支軸４８によって回動自在に支持される。
【００２０】
第１開閉カバー１３および第２開閉カバー１４のそれぞれは、所定幅となるように球面を一対の離間する弧状分断線で分断した分割球面形状で形成されている。そして、遮蔽部である第１開閉カバー１３および第２開閉カバー１４は、ドームカバー１５の内側近傍に設けられている。内側近傍とは、ドームカバー１５の半球内面４９（図９参照）に沿って僅かな距離となるように第１開閉カバー１３および第２開閉カバー１４が接近している場所を言う。具体的には、ドームカバー１５とカバー開閉機構１６との距離Ｄは、約１．５ｍｍ程度に設定される。これにより、カバー開閉機構１６に駆動される第１開閉カバー１３および第２開閉カバー１４は、ドームカバー１５の半球内面４９に沿って分割球面形状が移動されることになり、ドームカバー１５を透視しての視認性が良好となるようになされている。
【００２１】
第１開閉カバー１３および第２開閉カバー１４にはそれぞれ突出部５０（図６参照）が設けられ、突出部５０は魚眼レンズ１２で映される範囲を覆っている。なお、この突出部５０は、第１開閉カバー１３および第２開閉カバー１４を開閉したときに支持用鍔部３６の間に配置される。
【００２２】
光学ユニット１９は、第１開閉カバー１３および第２開閉カバー１４が図６に示すように閉じられることで魚眼レンズ１２が覆われ、図７に示すように開かれることによって魚眼レンズ１２が表出される。つまり、第１開閉カバー１３および第２開閉カバー１４は魚眼レンズ１２の前方を覆う位置と前方を覆わない位置とに位置することが可能になっている。第１開閉カバー１３および第２開閉カバー１４の開方向の縁部にはストッパ部５１が形成され、ストッパ部５１は支持用鍔部３６の基部側に形成されるストッパ座面５２に当接される。第１開閉カバー１３および第２開閉カバー１４は、ストッパ部５１がストッパ座面５２に当たって開動が規制されることで、開状態の終端となる。
【００２３】
ここで、筐体１７および第１開閉カバー１３および第２開閉カバー１４の外側（ドームカバー側）は白系色としている。従って、第１開閉カバー１３および第２開閉カバー１４は、閉じられているとき、天井に設置されているカメラ装置１０を近くにいる人が見ると、ドームカバー越しに白色系外面５３（図６参照）となって見える。
【００２４】
一方、図７に示すように、第１開閉カバー１３および第２開閉カバー１４が開かれているときには、カメラ装置１０の近くにいる人からは、カメラ装置１０の一部（中央部）にドームカバー越しに魚眼レンズ１２およびレンズホルダ１８が見えるようになっている。魚眼レンズ１２およびレンズホルダ１８は黒系色としているので、白系色の筐体１７の一部（中央部）に黒系色の魚眼レンズ１２およびレンズホルダ１８が現われる。
【００２５】
このように、カメラ装置１０は、プライバシーを保護するモードではカメラ装置１０の前面側（撮影側）が白色系で覆われる状態となるのに対し、撮影するモードではカメラ装置１０の前面側（撮影側）が白色系の筐体１７の一部（中央部）に黒系色が表れる。その結果、カメラ装置１０を見ればどちらのモードであるかを容易に確認できるようになされている。
【００２６】
図８は本発明に係る実施形態のカメラ装置１０のドームカバー１５を外した状態の外観斜視図である。カメラ装置１０は、第１開閉カバー１３および第２開閉カバー１４の外側に隠しカバー５４を設けている。この隠しカバー５４は、第１開閉カバー１３および第２開閉カバー１４で魚眼レンズ１２を覆っているときは、光学ユニット１９の部分が外側から見えてしまうのを防止するためである。この隠しカバー５４も白系色の材料を用いて作成しているため、カメラ装置１０を斜めから見た場合でも、全体が白系色となっており、カメラ装置１０が撮影していないことを表し、カメラ装置付近にいる人が映されていると不安に感じることを防止している。
【００２７】
このようにして、本実施形態に係るカメラ装置１０によれば、プライバシーを重視するニーズに応えることができ、小型なカメラ装置１０でも遮蔽部の開閉状態を容易に把握できる。
なお、本実施形態では、レンズホルダ１８は固定されているが、レンズホルダ１８が可動し、撮影方向を変えられるような構造であってもよい。
【００２８】
次に、本発明に係る実施形態のカメラ装置１０のドームカバー１５と遮蔽部の位置関係について、図９〜図１０を用いて説明する。
図９はドームカバー１５と閉じられたカバー開閉機構１６との位置関係を示す要部拡大側面図、図１０はドームカバー１５と開かれたカバー開閉機構１６との位置関係を示す要部拡大側面図、図１１は天井に設置された蛍光灯５５とカメラ装置１０との位置関係を示す模式図である。
カバー開閉機構１６は、第１開閉カバー１３および第２開閉カバー１４が、ドームカバー１５のすぐ内側に設けられている。これは、ドームカバー１５のすぐ内側にカバー開閉機構１６を設けることにより、外部からカバー開閉機構１６の開閉状態を見やすくするためである。
【００２９】
例えば、カバー開閉機構１６がドームカバー１５のすぐ内側に設けられない場合には、消灯中の病室等では、ドームカバー１５の内側近傍までしか外部の光が入らない。このため、カバー開閉機構１６の開閉状態が病室にいる人からは判かりづらくなり、プライバシーが保護されているのか否か、不安に感じてしまうという恐れがある。特に、監視カメラは天井に取り付けられる場合が大多数であり、図１１に示すように、同じく天井に取り付けられている蛍光灯５５からの光は、ほぼ真横から差し込まれる。監視カメラのドームカバー１５は半球形状をしているため、横からの光を反射し、ドームカバー１５の内部の状態が見づらくなる。また、耐衝撃性を向上させるため、ドームカバー１５を厚くする場合にも透過率が低下し、内部の状態が見づらくなる。
【００３０】
本実施形態によるカメラ装置１０は、カバー開閉機構１６の第１開閉カバー１３および第２開閉カバー１４をドームカバー１５の内側近傍に設けている。これにより、半球形状のドームカバー１５を外側に設けている監視カメラであっても、カバー開閉機構１６の開閉状態を容易に見ることができる。その結果、監視されている人の不快感や心理的圧迫を解消できる。このようなドームカバー１５を透視しての視認性を確保するには、上記のように、ドームカバー１５と、第１開閉カバー１３および第２開閉カバー１４との距離Ｄを１．５ｍｍ程度に設定することが望ましい。
【００３１】
次に、本発明に係る実施形態のカメラ装置１０の動作について、図１２〜図１４を用いて説明する。
図１２は本発明に係る実施形態のカメラ装置１０を表すブロック図である。
本実施形態に係るカメラ装置１０は、第１開閉カバー１３および第２開閉カバー１４に相当する遮蔽部、魚眼レンズ１２、撮像素子１１、映像信号処理部５６、エンコーダ部５７、映像出力部５８、制御部２５、設定部５９を備えている。
遮蔽部は、魚眼レンズ１２の前面に設けられ、第１開閉カバー１３および第２開閉カバー１４を開くことにより撮像素子１１が外部からの光を受光できるようにする。また、遮蔽部は、第１開閉カバー１３および第２開閉カバー１４を閉じることにより、撮像素子１１が外部からの光を受光できなくなるようにし、外部を撮影できないようにする。
【００３２】
魚眼レンズ１２は、例えば、水平画角が１８０度であり、円形の全周囲の監視領域を撮影するものである。撮像素子１１は、魚眼レンズ１２からの光を受光し、電気信号に変換し、映像信号として映像信号処理部５６に出力するものである。
映像信号処理部５６は、撮像素子１１から出力された映像信号の歪みを補正したり、全周囲の画像から一部を切り出して出力したり、また、４箇所を切り出して４画面で出力するような処理を行うものである。
【００３３】
エンコーダ部５７は映像信号処理部５６から受信した映像信号を圧縮し、デジタル信号に変換するものである。映像出力部５８は、エンコーダ部５７で圧縮した映像信号をネットワーク経由で外部に出力するものである。なお、本実施形態に係るカメラ装置１０は、魚眼レンズ１２を用いずに、ズームレンズを用いて撮像素子１１と共に回動可能な機構を用いてもよい。また、エンコーダ部５７を用いずに、アナログ信号のまま出力してもよい。
【００３４】
制御部２５は、遮蔽部、撮像素子１１、映像信号処理部５６、エンコーダ部５７、映像出力部５８を制御するものである。設定部５９は、ユーザが外部から制御できるように、外部からの信号を受信し、制御部２５の各処理部の制御に反映するものである。
【００３５】
次に、本発明に係る実施形態のカメラ装置１０を用いたカメラシステム６０の概略について、図１３を用いて説明する。
図１３は本発明に係る実施形態のカメラ装置１０を用いたカメラシステム６０の模式図である。
本実施形態に係るカメラシステム６０は、カメラ装置１０、監視室６１などに設置され、カメラ装置１０からの映像をモニターするＰＣ６２、および緊急時にユーザが押下するボタン６３を備えている。
緊急時に、ユーザがボタン６３を押下すると、その緊急信号がカメラ装置１０の端子台（図示せず）に入力される。カメラ装置１０に緊急信号が入力されると、カメラ装置１０は遮蔽部を開き、監視領域の映像をＰＣ６２に送信し、監視室６１にいる監視員が監視領域の映像を表示モニター６４により見て、緊急時の状況を把握するものである。
【００３６】
次に、本実施形態に係るカメラシステム６０の動作について、図１４を用いて説明する。
図１４は本発明に係る実施形態のカメラ装置１０の動作を示すフローチャートである。
まず、最初に、カメラ装置１０は、遮蔽部を閉じていて、プライバシーを保護するプライバシー保護モードにする。カメラ装置１０はプライバシー保護モードでは、遮蔽部を閉じるとともに、映像信号処理部５６で黒画画像を出力する。遮蔽部を閉じると、撮像素子１１に入力される光量が減り、映像信号処理部５６は映像信号のレベルを増幅しようとする。このため、ノイズも増幅される。そこで、黒画画像が出力されることで、監視室６１の表示モニター６４に、ノイズの目立つ映像が出力されることを防止できる。
【００３７】
遮蔽部を閉じたカメラ装置１０は、外部からボタン６３等による緊急信号が入力されたかどうかを検出する（Ｓ１０１）。カメラ装置１０は、緊急信号が入力されるまで入力待ち状態となる。緊急信号が入力されると、カメラ装置１０は遮蔽部をオープンにし（Ｓ１０２）、映像信号処理部５６は黒画画像の出力を停止し、撮像素子１１からの信号を外部に出力するようにする（Ｓ１０３）。これにより、監視室６１の表示モニター６４には、カメラ装置１０からの映像が映し出され、カメラ装置１０の監視領域の状態を把握できるようになる。
【００３８】
そして、カメラ装置１０の監視領域の緊急状態が解消され、プライバシー保護モードにするときには、外部（例えば、監視室６１のＰＣ６２等）から遮蔽部閉信号をカメラ装置１０へ送信する。カメラ装置１０は遮蔽部閉信号を入力されたかどうかを検出する（Ｓ１０４）。カメラ装置１０は、遮蔽部閉信号が入力されるまで入力待ち状態となる。遮蔽部閉信号が入力されると、カメラ装置１０は遮蔽部を閉じて（Ｓ１０５）、映像信号処理部５６は黒画画像を出力するようにし（Ｓ１０６）、緊急信号の入力待ち状態に戻る（Ｓ１０１）。
なお、本実施形態ではプライバシー保護モードとなるためのトリガーが、遮蔽部閉信号の入力となる。この他、カメラ装置１０は、タイマー（図示せず）で設定される所定時間経過後（例えば、５分間）に、自動的に遮蔽部を閉じて、緊急信号の入力待ち状態としてもよい。
【００３９】
このように、カメラ装置１０では、プライバシー保護モードになる際、遮蔽部を閉じる前に映像信号処理部５６で黒画画像を出力している。これは、遮蔽部の映り込みを防止するための処理となる。即ち、全周囲の画像から一部を切り出して表示をしている場合、真下の映像を切り出しているときは、左右から遮蔽部が入り込んでくるので、それほど違和感を覚えない。ところが、切り出す場所によっては、例えば、斜め上から遮蔽部が映り込んでくるので、表示モニター６４を見ている監視員にとっては違和感を覚える恐れがある。特に、全周囲の画像から４箇所を切り出して４画面で表示している場合には、４画面で多方向から遮蔽部が映り込むため、表示モニター６４を見ている人にとっては、違和感を覚える恐れがある。また、上記では全周囲の画像から切り出した画像について説明したが、カメラ装置１０のレンズホルダ１８が可動し、撮影方向を変えられるような構造でも同様のことが言える。
【００４０】
一方、プライバシー保護モードになる際、この遮蔽部の映り込みは、遮蔽部を閉じる前に映像信号処理部５６で黒画画像を出力することで防ぐことができる。遮蔽部を閉じた後に映像信号処理部５６で黒画画像を出力すると、遮蔽部が正しく閉じられたかどうかを表示モニター６４で監視員が確認できる。また、この場合には、監視員が上述したように遮蔽部の映り込みに違和感を覚える恐れがあるため、切り出しの映像ではなく、全周囲の画像を出力する。このようにすることで、円周から遮蔽部が映り込んでいくため、監視員が遮蔽部の映り込みに対する違和感を低減させることができる。これにより、本実施形態に係るカメラ装置１０では、レンズ前方を遮蔽部で覆った状態でもノイズのない映像を出力し、カメラ装置１０の映像を見ている監視員に違和感を低減するようにできる。
【００４１】
以上、説明したように、本発明に係るカメラ装置１０によれば、レンズや遮蔽部を保護するために外側に透光性のドームカバー１５を設けた場合であっても、遮蔽部の開閉状態が外部から判かり易くなり、監視されている人の不快感や心理的圧迫を解消できる。
【産業上の利用可能性】
【００４２】
本発明は、外側からの遮蔽部の開閉状態を判かり易いカメラ装置に適用できる。
【符号の説明】
【００４３】
１０  カメラ装置
１１  撮像素子
１２  魚眼レンズ（レンズ）
１３  第１開閉カバー（遮蔽部）
１４  第２開閉カバー（遮蔽部）
１５  ドームカバー
１６  カバー開閉機構
１７  筐体
１８  レンズホルダ
【図１】
2014056155.tif 000003
【図２】
2014056155.tif 000004
【図３】
2014056155.tif 000005
【図４】
2014056155.tif 000006
【図５】
2014056155.tif 000007
【図６】
2014056155.tif 000008
【図７】
2014056155.tif 000009
【図８】
2014056155.tif 000010
【図９】
2014056155.tif 000011
【図１０】
2014056155.tif 000012
【図１１】
2014056155.tif 000013
【図１２】
2014056155.tif 000014
【図１３】
2014056155.tif 000015
【図１４】
2014056155.tif 000016